(57)【要約】      （修正有）【課題】マイクサウンドボックス一体型装置を提供する。【解決手段】マイクサウンドボックス一体型装置は、制御ユニット６と、メインサウンドチャンバー１と、前記メインサウンドチャンバーに接続されたマイクアセンブリ２と、を含む。前記メインサウンドチャンバー内に少なくとも二つの対称に設置されたスピーカー３が装着されている。前記マイクアセンブリは、マイク２１とマイクホルダー２２を含み、前記マイクと前記スピーカーは、それぞれ前記制御ユニットに電気的に接続され、前記マイクホルダーは、軟質材料で製造されている。前記メインサウンドチャンバー内に少なくとも二つの対称に設置されたスピーカーが装着されることによって複数のスピーカーの対称軸の近くで振動が相殺され、自己フィードバック効果を回避することができる。【選択図】図１
0003216709.tif 000002
【実用新案登録請求の範囲】
【請求項１】
制御ユニットと、メインサウンドチャンバーと、前記メインサウンドチャンバーに接続されたマイクアセンブリと、を含み、
前記メインサウンドチャンバー内に少なくとも二つの対称に設置されたスピーカーが装着されており、前記マイクアセンブリは、マイクとマイクホルダーを含み、前記マイクと前記スピーカーは、それぞれ前記制御ユニットに電気的に接続され、前記マイクホルダーは、軟質材料で製造されていることを特徴とするマイクサウンドボックス一体型装置。
【請求項２】
前記メインサウンドチャンバーは、内部に収容キャビティを有する柱状構造であり、前記メインサウンドチャンバーには、少なくとも二つの対称に設置された開口部が開設され、各スピーカーは、対応する前記開口部に接続されて前記開口部と密封接続されていることを特徴とする請求項１に記載のマイクサウンドボックス一体型装置。
【請求項３】
各開口部にスピーカーシリンダーが接続され、前記スピーカーは、対応する前記スピーカーシリンダーに固定されていることを特徴とする請求項２に記載のマイクサウンドボックス一体型装置。
【請求項４】
前記スピーカーシリンダーの外側に保護ケースが被覆されていることを特徴とする請求項３に記載のマイクサウンドボックス一体型装置。
【請求項５】
前記マイクと、前記メインサウンドチャンバーの接続点の位置は、二つ又は複数の前記スピーカーの対称軸の０〜２０ｃｍの範囲内にあることを特徴とする請求項１に記載のマイクサウンドボックス一体型装置。
【請求項６】
前記マイクホルダーは、シリコーン、ゴム、ＴＰＵ又は軟質プラスチックのうちの任意の一つであることを特徴とする請求項１に記載のマイクサウンドボックス一体型装置。
【請求項７】
前記マイクアセンブリは、固定ベースとネットヘッドをさらに含み、前記固定ベースは、前記メインサウンドチャンバーの外側壁に固定され、前記ネットヘッドは、マイクの外周面を被覆しており、さらに、前記メインサウンドチャンバーに固定接続されていることを特徴とする請求項１に記載のマイクサウンドボックス一体型装置。
【請求項８】
マイクサウンドボックス一体型装置は、コネクティングロッドをさらに含み、前記コネクティングロッドは、前記メインサウンドチャンバーの外側壁に接続されていることを特徴とする請求項１に記載のマイクサウンドボックス一体型装置。
【請求項９】
前記制御ユニットは、前記メインサウンドチャンバーの外側壁に固定され、前記制御ユニットにスイッチアセンブリが接続されていることを特徴とする請求項１に記載のマイクサウンドボックス一体型装置。
【請求項１０】
前記メインサウンドチャンバーの外側壁にパネルが接続されていることを特徴とする請求項１に記載のマイクサウンドボックス一体型装置。
【考案の詳細な説明】
【技術分野】
【０００１】
本考案は、オーディオ再生分野に関し、マイクサウンドボックス一体型装置に関する。
【背景技術】
【０００２】
カラオケの応用は広くなり、その技術も非常に成熟されたが、携帯型の簡略化された装置はあまりなく、個体化されたカラオケ製品は更に少なく、専門的な場所や固定された場所でのみ使用することができるものであるので、非常に不便である。現在、様々な種類のマイクであって、リバーブ機能（ｒｅｖｅｒｂｅｒａｔｉｏｎ ｆｕｎｃｔｉｏｎ）を持っているマイクは、広く使用されているが、それだけでマイク製品として広く使用され、その外部にサウンドボックス（ｓｏｕｎｄ ｂｏｘ）又は他のデバイスに接続した場合のみ使用することができる。サウンドボックスは、音に基づいて音の周波数と同じ振動を発生させる。従って、マイクとサウンドボックスが一体的に、又は両者が互いに近づいて配置された場合は、マイクから入力された音は、サウンドボックスによって増幅された後にハウジングを経てマイクに伝達される。マイクは、同じ周波数の音を再入力し、再増幅され、このように何度も繰り返して増幅することで強烈な自己フィードバック効果が発生し、即ち、自励効果が発生する。この時、サウンドボックスから継続的に絶えず強化されている同じ周波数の音（ハウリングと呼ばれる）が出てきて、通常の使用を完全に妨害することになる。
【０００３】
もちろん、音の周波数に対して変換処理を行う設計もあり、入力された音の周波数又は周波数位相（ｆｒｅｑｕｅｎｃｙ ｐｈａｓｅ）が出力された音の周波数又は周波数位相とは異なり、ハウリングの発生を避け、実際の運用又は計算を介して、特定周波数（ｓｐｅｃｉｆｉｃ ｆｒｅｑｕｅｎｃｉｅｓ）を除去して、ハウリングの発生を防止することもできる。しかし、これらの方法は、すべての音をひどく歪ませるので、良好な音質の要求を満足することができない。
【０００４】
したがって、音質を変更しない場合、又は音質を向上させる条件の下でマイクとスピーカーを１つに合わせて、携帯することができてカラオケ効果があり、いつでもどこでも歌うことができ、音楽がもたらす楽しさを楽しむことができるようにすることは、多くの人の夢となっている。
【考案の概要】
【考案が解決しようとする課題】
【０００５】
本考案は、上記した従来の技術において、前記問題点を解決するためになされたものであり、マイクサウンドボックス一体型装置を提供することにその目的がある。
【課題を解決するための手段】
【０００６】
マイクサウンドボックス一体型装置は、制御ユニットと、メインサウンドチャンバーと、前記メインサウンドチャンバーに接続されたマイクアセンブリと、を含む。前記メインサウンドチャンバー内に少なくとも二つの対称に設置されたスピーカーが装着されている。前記マイクアセンブリは、マイクとマイクホルダーを含み、前記マイクと前記スピーカーは、それぞれ前記制御ユニットに電気的に接続され、前記マイクホルダーは、軟質材料で製造されている。
【０００７】
前記メインサウンドチャンバーは、内部に収容キャビティを有する柱状構造であり、前記メインサウンドチャンバーには、少なくとも二つの対称に設置された開口部が開設され、各スピーカーは、対応する前記開口部に接続されて前記開口部と密封接続されている。
【０００８】
各開口部にスピーカーシリンダーが接続され、前記スピーカーは、対応する前記スピーカーシリンダーに固定されている。
【０００９】
前記スピーカーシリンダーの外側は保護ケースで被覆されている。
【００１０】
前記マイクと、前記メインサウンドチャンバーの接続点の位置は、二つ又は複数の前記スピーカーの対称軸の０〜２０ｃｍの範囲内にある。
【００１１】
前記マイクホルダーは、シリコーン、ゴム、ＴＰＵ又は軟質プラスチックのうちの任意の一つである。
【００１２】
前記マイクアセンブリは、固定ベースとネットヘッドをさらに含み、前記固定ベースは、前記メインサウンドチャンバーの外側壁に固定され、前記ネットヘッドは、マイクの外周面を被覆しており、さらに、前記メインサウンドチャンバーに固定接続されている。
【００１３】
マイクサウンドボックス一体型装置は、コネクティングロッドをさらに含み、前記コネクティングロッドは、前記メインサウンドチャンバーの外側壁に接続されている。
【００１４】
前記制御ユニットは、前記メインサウンドチャンバーの外側壁に固定され、前記制御ユニットにスイッチアセンブリが接続されている。
【００１５】
前記メインサウンドチャンバーの外側壁にパネルが接続されている。
【考案の効果】
【００１６】
従来の技術に比べて、本考案のマイクサウンドボックス一体型装置は、以下の効果を有する。まず、前記メインサウンドチャンバー内に少なくとも二つの対称に設置されたスピーカーが装着されることによって複数のスピーカーの対称軸の近くで振動が相殺され、自己フィードバック効果を回避することができる。次に、マイクの中心軸と二つのスピーカー又は複数のスピーカーの中心軸との距離は０〜２０ｍｍの範囲内にあるので、ハウリングの発生を効果的に抑制することができる。最後に、軟質材料で製造されたマイクホルダーは、音の振動を効果的に低減させることができ、スピーカーにより発生した音の振動がマイクに伝達されることを強く抑制している。
【図面の簡単な説明】
【００１７】
【図１】本考案の実施形態に係るマイクサウンドボックス一体型装置の立体分解図である。
【図２】図１に示すマイクサウンドボックス一体型装置の構造を示す図である。
【考案を実施するための形態】
【００１８】
本考案の目的、技術的特徴及び利点をより明確に理解するために、以下、図面と実施例を組み合わせて本考案について詳細に説明する。本明細書に記載された具体的な実施例は、単に本考案を説明するためのものであり、本考案を限定するためのものではないことを理解すべきである。
【００１９】
図1に示すように、本考案の好ましい実施形態に係るマイクサウンドボックス一体型装置は、制御ユニット６、メインサウンドチャンバー（ｍａｉｎ ｓｏｕｎｄ ｃｈａｍｂｅｒ）１及びメインサウンドチャンバー１に接続されたマイクアセンブリ（ｍｉｃｒｏｐｈｏｎｅ ａｓｓｅｍｂｌｙ）２を含んでいる。メインサウンドチャンバー１には、少なくとも二つの対称に設置されたスピーカー３が装着されており、マイクアセンブリ２は、マイク２１とマイクホルダー２２を含み、マイク２１とスピーカー３は、それぞれ制御ユニット６に電気的に接続され、マイクホルダー２２は、軟質材料で製造されている。
【００２０】
本実施例において、スピーカー３は二つある。二つのスピーカー３は、互いに反対方向に向かってメインサウンドチャンバー１内に設置される。具体的に説明すると、メインのサウンドチャンバー１は、内部に収容キャビティ（符号なし）を有する柱状構造であり、メインのサウンドチャンバー１の外部側壁に、それぞれ収容キャビティと連通する二つの開口部１０が開設されており、二つのスピーカー３は、それぞれ対応する開口部１０に固定され、また、開口部１０と密封接続される。本実施形態の開口部１０の数量は、スピーカー３の数量と対応し、スピーカー３が開口部１０に接続されると、スピーカー３とメインサウンドチャンバー１は、単一の密封されたキャビティを形成することを理解することができる。
【００２１】
使用する時、音及び振動は、２種類の経路を介してマイク２１に伝達され、一つは空気の音波を介して伝達され、他の一つは、固体構造を介してマイク２１に伝達される。空気を介して伝達される音波の強さは、それほど大きくないが、固体構造を介して配信される音及び振動は非常に激しいので、常に強烈な自己フィードバック効果が発生し、すなわち、自励効果（同じ周波数の音が継続的に増幅される）が発生し、この時のスピーカー３でハウリング（ｗｈｉｓｔｌｅ）と呼ばれる継続的に絶えず強化されているいずれかの固定された周波数の音が出て、製品の通常の使用を完全に妨害することになる。
【００２２】
音は振動によって生成して伝達される波なので、その本質は一種の振動力である。拡声器（すなわち、スピーカー３）で音が発生して、その振動膜が特定周波数の前後振動をしており、この振動は周囲の空気や他の媒体の振動を推進させるので、これらの振動は伝達され、したがって音も広がる。メインサウンドチャンバー１内に1つのスピーカー３のみしかないときは、スピーカー３は、メインのサウンドチャンバー１全体及びメインサウンドチャンバー１に接続されたすべての構造部材を駆動して、同じ周波数の振動を発生し、マイク２１が特定の場所にあるとき、これらの振動は、マイク２１に伝達される（したがって、自励効果、すなわちハウリングの発生を回避することができない）。
【００２３】
そのいくつかの特定の位置で、これらの振動を緩和するか、場合によっては消失させて、ハウリング反応の発生を回避するために、本出願は、位相相殺（ｐｈａｓｅ ｏｆｆｓｅｔ）の原理を利用して、これらの振動がなくなるようにする。具体的に説明すると、メインのサウンドチャンバー１の両側に性能と規格が同じスピーカー３をそれぞれ設置し、また、互いに反対方向に向かって設置される。同じ周波数の音が発生したときに、その位相、振幅、周波数はすべて同じだが方向は互いに反対なので、二つの振動波は媒体で遭遇時に相殺されて減衰される。
【００２４】
本実施例において、二つのスピーカー３をメインサウンドチャンバー１内に対称に設置し、二つのスピーカー３で発生した振動が互いに相殺されるようにし、したがって、位相オフセットの原理を利用して、ハウリングの発生を回避することになる。本実施例において、メインサウンドチャンバー１内に設置されたスピーカー３の数量は限定されず、スピーカー３の数量は、複数であってもよく、複数のスピーカー３は、メインサウンドチャンバー１中に均一に分布されることを理解することができる。上述した位相相殺原理によれば、二つのスピーカー３と同様に、複数のスピーカー３の位相オフセット原理を利用して、対称の配列であれば、複数のスピーカー３の対称軸の近くで振動が相殺され、自己フィードバック効果を回避することができる。例えば、三つのスピーカー３を含む場合、三つのスピーカー３は、メインサウンドチャンバー１内に１２０°で対称的に分布され、このとき、メインのサウンドチャンバー１の外部側壁に三つの開口部１０が開設され、三つの開口部１０も、メインのサウンドチャンバー１に１２０°で対称的に設置され、各スピーカー３は、対応する開口部１０に装着され、また、開口部１０と密封接続される。
【００２５】
また、本実施例では、スピーカー３の装着方向は限定されず、スピーカー３の音の出口はメインサウンドチャンバー１の中心を向くように設置することもできる。スピーカー３の音の出口がメインサウンドチャンバー１の中心を向く場合、メインサウンドチャンバー１に音孔（図示せず）を開設すると、音を外部に伝達させることができる。
【００２６】
メインサウンドチャンバー１にスピーカーシリンダー（ｓｐｅａｋｅｒ ｃｙｌｉｎｄｅｒ）４と保護ケース５が接続されており、スピーカーシリンダー４は、主にスピーカー３を固定し、メインサウンドチャンバー１を密封するために使用され、保護ケース５は、スピーカー３が物理的な損傷を受けないように保護し、また、装飾用としても使用される。具体的に説明すると、各スピーカー３は、対応するスピーカーシリンダー４に固定され、スピーカーシリンダー４は、メインサウンドチャンバー１に固定接続され、保護ケース５は、スピーカーシリンダー４の外部を被覆している。スピーカー３とスピーカーシリンダー４、スピーカーシリンダー４とメインサウンドチャンバー１、保護ケース５とメインサウンドチャンバー１の間は、ねじ結合又は嵌合によって固定接続することができるが、上述した接続方法に限定されるものではない。
【００２７】
マイクアセンブリ２は、主にマイク２１、マイクホルダー２２、固定ベース（ｆｉｘａｔｉｏｎ ｂａｓｅ）２３とネットヘッド２４を含んでいる。マイク２１は、マイクホルダー２２に固定され、マイクホルダー２２は固定ベース２３によってメインサウンドチャンバー１に接続され、ネットヘッド２４は、マイク２１の外周面を被覆しており、さらに、メインサウンドチャンバー１に固定接続されている。
【００２８】
ハウリングの発生を効果的に抑制するために、マイク２１とメインサウンドチャンバー１の接続点の位置は、二つのスピーカー３の対称軸の０〜２０ｃｍの範囲内にあり、又はマイク２１とメインサウンドチャンバー１の接続点の位置は、複数のスピーカー３の対称軸の０〜２０ｃｍの範囲内にある。好ましくは、マイク２１とメインサウンドチャンバー１の接続点の位置と二つ又は複数のスピーカー３の対称軸との間の距離は0であり、すなわち、マイク２１とメインサウンドチャンバー１の接続点の位置と二つ又は複数のスピーカー３の対称軸は重なり、この時ハウリングの抑制効果が最も優れている。スピーカー３は、メインサウンドチャンバー１の両側に対称に設置され、マイクホルダー２２とメインサウンドチャンバー１の接続位置は、ちょうど二つのスピーカー３の対称軸上にあるので（マイクホルダー２２とメインサウンドチャンバー１の接続位置は、対称軸に近ければ近いほどスピーカー３によって発生される振動は、より小さい）音によって発生する振動は、この場で完全に相殺され、マイク２１に伝達されない。したがってスピーカー３から出る音がマイク２１に伝達されないように確保し、自己フィードバック効果も発生しない。
【００２９】
固体構造でマイク２１に伝達される音の振動を低減させるために、マイクホルダー２２は、軟質材料で製造され、軟質材料で製造されたマイクホルダー２２は、音の振動を効果的に低減させることができ、スピーカー３により発生した音の振動がマイク２１に伝達されることを強く抑制している。
【００３０】
マイクホルダー２２は、シリコーンで製造されていることが望ましい。シリコーンは、硬度が比較的低いため、振動を効果的に緩和することができる。マイクホルダー２２は、ゴム又はＴＰＵなどの他の軟質材料で製造することができ、また、硬度が８０度以下である軟質プラスチックを選択することもでき、材料の硬さが比較的低く、振動を効果的に緩和させることができることを理解することができる。
【００３１】
マイクホルダー２２は、アーチ型の構造、透かし彫り模様構造又はスプリング構造であってもよいが、他の形態であってもよく、具体的な形態は、ここでは制限しない。軟質材料でアーチ状の構造で製造されたマイクホルダー２２は、誤差によって発生した微弱な振動を回避することができ、振動周波数をいっそう打破することにより、スピーカー３の音がマイク２１に伝達されないように確保し、自己フィードバック効果も発生しない。
【００３２】
固定ベース２３は、メインサウンドチャンバー１に固定され、マイクホルダー２２は、固定ベース２３に固定される。マイクホルダー２２は、ねじ結合によって固定ベース２３に接続することができ、嵌結合によって固定ベース２３に接続することもでき、又は直接ゲル（ｇｅｌ）又は接着剤などで固定ベース２３に接着されることもできる。固定ベース２３は、接着やねじ結合や一体成型などのような接続方式によって、メインサウンドチャンバー１に固定されることができる。
【００３３】
ネットヘッド２４は、マイクホルダー２２の外を被覆しており、マイク２１が、物理的損傷を受けないように保護する。ネットヘッド２４は、人の声に対して、一定の濾過作用があり、また、装飾用としても使用され、マイクの美的感覚を向上させる。
【００３４】
制御ユニット６は、メインサウンドチャンバー１の側壁に固定される。マイク２１とスピーカー３は、それぞれ制御ユニット６に電気的に接続される。制御ユニット６は、スイッチアセンブリ７に接続されており、製品の機能を制御し、オン/オフを切り替える。制御ユニット６とスイッチアセンブリ７の具体的な構造及び電気的接続方式は、すべての従来技術の一般的な技術手段であるため、ここでは詳細に説明していない。
【００３５】
本出願のマイクサウンドボックス一体型装置は、コネクティングロッド（ｃｏｎｎｅｃｔｉｎｇ ｒｏｄ）８及び前記装置についての操作に必要な電力を提供するバッテリーアセンブリ（図示せず）をさらに含み、コネクティングロッド８は、ユーザーが簡単にキャッチすることができるハンドルとして使用される。本実施例において、バッテリーアセンブリはコネクティングロッド８の内部に装着され、コネクティングロッド８は、マイクアセンブリ２に対向するメインサウンドチャンバー１の一方の表面に接続され、また、マイク２１と同軸である。しかし、本実施例は、コネクティングロッド８の具体的な接続位置は限定されず、コネクティングロッド８は、メインサウンドチャンバー１の他の端面に接続することもできる。
【００３６】
また、メインサウンドチャンバー１の側壁にパネル９が装着されており、パネル９は、制御ユニット６と、スイッチアセンブリ７が物理的な損傷を受けないように保護し、また、製品を装飾する効果もある。
【００３７】
本考案は、具体的な実施例により説明したが、この技術分野の技術者は、本考案の範囲を逸脱しない状況で、様々な変更と同等の代替が可能であることが理解できる。また、特定の状況や材料について、本考案の範囲を逸脱しない状況で、本考案について、様々な修正が可能である。従って、本考案は、公開された具体的な実施例に限定されるものではなく、本考案の請求の範囲に属するすべての実施例を含むべきである。
【図１】
0003216709.tif 000003
【図２】
0003216709.tif 000004
【手続補正書】
【提出日】平成29年12月12日(2017.12.12)
【手続補正１】
【補正対象書類名】実用新案登録請求の範囲
【補正対象項目名】全文
【補正方法】変更
【補正の内容】
【実用新案登録請求の範囲】
【請求項１】
制御ユニットと、メインサウンドチャンバーと、前記メインサウンドチャンバーに接続されたマイクアセンブリと、を含み、
前記メインサウンドチャンバー内に少なくとも二つの対称に設置されたスピーカーが装着されており、前記マイクアセンブリは、マイクとマイクホルダーを含み、前記マイクと前記スピーカーは、それぞれ前記制御ユニットに電気的に接続され、前記マイクホルダーは、軟質材料で製造されていることを特徴とするマイクサウンドボックス一体型装置。
【請求項２】
前記メインサウンドチャンバーは、内部に収容キャビティを有する柱状構造であり、前記メインサウンドチャンバーには、少なくとも二つの対称に設置された開口部が開設され、各スピーカーは、対応する前記開口部に接続されて前記開口部と密封接続されていることを特徴とする請求項１に記載のマイクサウンドボックス一体型装置。
【請求項３】
各開口部にスピーカーシリンダーが接続され、前記スピーカーは、対応する前記スピーカーシリンダーに固定されていることを特徴とする請求項２に記載のマイクサウンドボックス一体型装置。
【請求項４】
前記スピーカーシリンダーの外側に保護ケースが被覆されていることを特徴とする請求項３に記載のマイクサウンドボックス一体型装置。
【請求項５】
前記マイクと、前記メインサウンドチャンバーの接続点の位置は、二つ又は複数の前記スピーカーの対称軸の０〜２０ｍｍの範囲内にあることを特徴とする請求項１に記載のマイクサウンドボックス一体型装置。
【請求項６】
前記マイクホルダーは、シリコーン、ゴム、ＴＰＵ又は軟質プラスチックのうちの任意の一つであることを特徴とする請求項１に記載のマイクサウンドボックス一体型装置。
【請求項７】
前記マイクアセンブリは、固定ベースとネットヘッドをさらに含み、前記固定ベースは、前記メインサウンドチャンバーの外側壁に固定され、前記ネットヘッドは、マイクの外周面を被覆しており、さらに、前記メインサウンドチャンバーに固定接続されていることを特徴とする請求項１に記載のマイクサウンドボックス一体型装置。
【請求項８】
マイクサウンドボックス一体型装置は、コネクティングロッドをさらに含み、前記コネクティングロッドは、前記メインサウンドチャンバーの外側壁に接続されていることを特徴とする請求項１に記載のマイクサウンドボックス一体型装置。
【請求項９】
前記制御ユニットは、前記メインサウンドチャンバーの外側壁に固定され、前記制御ユニットにスイッチアセンブリが接続されていることを特徴とする請求項１に記載のマイクサウンドボックス一体型装置。
【請求項１０】
前記メインサウンドチャンバーの外側壁にパネルが接続されていることを特徴とする請求項１に記載のマイクサウンドボックス一体型装置。
【手続補正２】
【補正対象書類名】明細書
【補正対象項目名】００１０
【補正方法】変更
【補正の内容】
【００１０】
前記マイクと、前記メインサウンドチャンバーの接続点の位置は、二つ又は複数の前記スピーカーの対称軸の０〜２０ｍｍの範囲内にある。
【手続補正３】
【補正対象書類名】明細書
【補正対象項目名】００１９
【補正方法】変更
【補正の内容】
【００１９】
図1及び図２に示すように、本考案の好ましい実施形態に係るマイクサウンドボックス一体型装置は、制御ユニット６、メインサウンドチャンバー（ｍａｉｎ ｓｏｕｎｄ ｃｈａｍｂｅｒ）１及びメインサウンドチャンバー１に接続されたマイクアセンブリ（ｍｉｃｒｏｐｈｏｎｅ ａｓｓｅｍｂｌｙ）２を含んでいる。メインサウンドチャンバー１には、少なくとも二つの対称に設置されたスピーカー３が装着されており、マイクアセンブリ２は、マイク２１とマイクホルダー２２を含み、マイク２１とスピーカー３は、それぞれ制御ユニット６に電気的に接続され、マイクホルダー２２は、軟質材料で製造されている。
【手続補正４】
【補正対象書類名】明細書
【補正対象項目名】００２６
【補正方法】変更
【補正の内容】
【００２６】
メインサウンドチャンバー１にスピーカーシリンダー（ｓｐｅａｋｅｒ ｃｙｌｉｎｄｅｒ）４と保護ケース５が接続されており、スピーカーシリンダー４は、主にスピーカー３を固定し、メインサウンドチャンバー１を密封するために使用され、保護ケース５は、スピーカー３が物理的な損傷を受けないように保護し、また、装飾用としても使用される。具体的に説明すると、各スピーカー３は、対応するスピーカーシリンダー４に固定され、スピーカーシリンダー４は、メインサウンドチャンバー１に固定接続され、保護ケース５は、スピーカーシリンダー４の外部を被覆している。スピーカー３とスピーカーシリンダー４、スピーカーシリンダー４とメインサウンドチャンバー１、保護ケース５とスピーカーシリンダー４の間は、ねじ結合又は嵌合によって固定接続することができるが、上述した接続方法に限定されるものではない。
【手続補正５】
【補正対象書類名】明細書
【補正対象項目名】００２７
【補正方法】変更
【補正の内容】
【００２７】
マイクアセンブリ２は、主にマイク２１、マイクホルダー２２、固定ベース（ｆｉｘａｔｉｏｎ ｂａｓｅ）２３とネットヘッド２４を含んでいる。マイク２１は、マイクホルダー２２に固定され、マイクホルダー２２と固定ベース２３は接続され、固定ベース２３はメインサウンドチャンバー１の外側壁に接続され、ネットヘッド２４は、マイク２１の外周面を被覆しており、さらに、メインサウンドチャンバー１に固定接続されている。
【手続補正６】
【補正対象書類名】明細書
【補正対象項目名】００２８
【補正方法】変更
【補正の内容】
【００２８】
ハウリングの発生を効果的に抑制するために、マイク２１とメインサウンドチャンバー１の接続点の位置は、二つのスピーカー３の対称軸の０〜２０ｍｍの範囲内にあり、又はマイク２１とメインサウンドチャンバー１の接続点の位置は、複数のスピーカー３の対称軸の０〜２０ｍｍの範囲内にある。好ましくは、マイク２１とメインサウンドチャンバー１の接続点の位置と二つ又は複数のスピーカー３の対称軸との間の距離は0であり、すなわち、マイク２１とメインサウンドチャンバー１の接続点の位置と二つ又は複数のスピーカー３の対称軸は重なり、この時ハウリングの抑制効果が最も優れている。スピーカー３は、メインサウンドチャンバー１の両側に対称に設置され、マイクホルダー２２とメインサウンドチャンバー１の接続位置は、ちょうど二つのスピーカー３の対称軸上にあるので（マイクホルダー２２とメインサウンドチャンバー１の接続位置は、対称軸に近ければ近いほどスピーカー３によって発生される振動は、より小さい）音によって発生する振動は、この場で完全に相殺され、マイク２１に伝達されない。したがってスピーカー３から出る音がマイク２１に伝達されないように確保し、自己フィードバック効果も発生しない。
【手続補正７】
【補正対象書類名】明細書
【補正対象項目名】００３３
【補正方法】変更
【補正の内容】
【００３３】
ネットヘッド２４はマイク２１の外を被覆しており、マイク２１が、物理的損傷を受けないように保護する。ネットヘッド２４は、人の声に対して、一定の濾過作用があり、また、装飾用としても使用され、マイクの美的感覚を向上させる。